(57)【要約】【課題】  洗濯することによって繰り返し使用することができ、おむつ本体をおむつカバーと一体化させることにより装着、洗濯、乾燥、および収納保管作業の軽減化が図れるカバー一体型布おむつを提供する。【解決手段】  主として介護を要する成人に使用されるカバー一体型布おむつ１であって、吸収部材２とカバー部材３を有し、カバー部材３は、腰部から腹部にかけて覆う台布部４と、腰当布部５と、脇押え布部６を備え、細長い防水布を、中央よりも高い位置に折り返し線９を設定し、この折り返し線の上部を下方に折り返し、大きい方を前記台布部４とし、小さい方を前記腰当布部５とし、前記台布部４内側と前記腰当布部５との間に、吸収部材２を挟み、前記台布部４と腰当布部５と吸収部材２とを、折り返し線９に近い部分で縫い付けるとともに、前記吸収部材２を前記腰当布部５の下辺１０に近い部分で縫い付けることを特徴とする。【選択図】  図４
2006223597.tif 000002
【特許請求の範囲】
【請求項１】
排泄物を吸収する吸収部材と、この吸収部材を覆うカバー部材を有し、
カバー部材は、腰部から腹部にかけて覆う台布部と、腰部にあてがう腰当布部と、脇から腹部に巻く脇押え布部を備え、
身長方向に長い１枚の防水布を、中央よりも高い位置に折り返し線を設定し、この折り返し線の上部を下方に折り返し、この折り返した部分を前記腰当布部とし、他方の部分を前記台布部とし、前記台布部と前記腰当布部との重なり部分の左右両脇に脇押え布部を配置する一方、
前記台布部内側と前記腰当布部との間に、身長方向に長い前記吸収部材を挟み、前記台布部と腰当布部と吸収部材とを、折り返し線に近い部分で縫い付けるとともに、前記腰当布部は、その下辺を前記台布部に縫い付けず、その下辺に近い部分で前記吸収部材と縫い付けることを特徴とするカバー一体型布おむつ。
【請求項２】
左右の各脇押え布部の内側には第１接着部材を取り付け、この第１接着部材は、前記台布部外側の下辺に近い部分に取り付けた第２接着部材と着脱自在に貼着できることを特徴とする請求項１のカバー一体型布おむつ。
【請求項３】
前記台布部及び腰当布部として用いる防水布は伸縮性を有することを特徴とする請求項１のカバー一体型布おむつ。
【請求項４】
前記台布部の布縁は、縫い付けによらず接着によってほつれ止め処理を施し、前記腰当布部の布縁もまた、縫い付けによらず接着によってほつれ止め処理を施したことを特徴とする請求項１のカバー一体型布おむつ。
【請求項５】
前記台布部の左右両脇の中央部付近にひも状のゴムを通し、ギャザーを寄せたことを特徴とする請求項１のカバー一体型布おむつ。
【発明の詳細な説明】
【技術分野】
【０００１】
洗濯することによって繰り返し使用することができ、おむつ本体をおむつカバーと一体化させることにより装着、洗濯、乾燥、および収納保管作業の軽減化が図れるカバー一体型布おむつに関する。
【背景技術】
【０００２】
高齢者人口の増加に伴い、介護施設や老人ホーム等におけるおむつの需要が増えている。使い捨ての手軽さから紙おむつが使用されることが多い。しかし、紙おむつは、１回の使用だけで廃棄してしまうので、有限な資源を浪費するのみならず、ゴミ削減という社会の要請にも反する。また、焼却時に有害物質が発生することもある。そこで、このような紙おむつの問題点に鑑み、特開２００１−７９０３３号記載の発明をはじめ、布おむつに関する発明が種々提案されている。
【特許文献１】特開２００１−７９０３３号
【発明の開示】
【発明が解決しようとする課題】
【０００３】
従来の布製のおむつは、複数枚の布の組を重ねて用いるタイプが主であり、布１枚ごとの作業となるため、着用者である高齢者などの被介護者に装着するときや、洗濯、乾燥、収納保管作業が大きな負担になっていた。そこで、例えば、特開２００１−７９０３３号に記載の布おむつでは、複数枚の布を縫い付けて一つのおむつ本体にすることで、乾燥後ののし作業およびおむつ組み作業を軽減している。
しかし、この布おむつでは、寝巻き等を汚さないためには、防水布製等のおむつカバーを着用させる必要がある。布おむつとは別におむつカバーが必要になるのでは、老人ホーム等において被介護者におむつを着用させるときの手間が軽減されない。洗濯、乾燥、乾燥後の収納保管等の作業を、布おむつとおむつカバーそれぞれで行わなければならず、負担であることに変わりがない。
【０００４】
本発明は、このような問題点の解決を目的としてなされたものであり、被介護者への装着作業、及び繰り返し使用するための各種作業を容易にする布おむつを提供する。あわせて、繰り返し使用しても、清潔感を維持でき、かつ、洗濯や乾燥の便宜も考慮した布おむつを提供することも目的とする。
【課題を解決するための手段】
【０００５】
請求項１に記載の発明は、排泄物を吸収する吸収部材と、この吸収部材を覆うカバー部材を有し、カバー部材は、腰部から腹部にかけて覆う台布部と、腰部にあてがう腰当布部と、脇から腹部に巻く脇押え布部を備え、身長方向に長い１枚の防水布を、中央よりも高い位置に折り返し線を設定し、この折り返し線の上部を下方に折り返し、この折り返した部分を前記腰当布部とし、他方の部分を前記台布部とし、前記台布部と前記腰当布部との重なり部分の左右両脇に脇押え布部を配置する一方、前記台布部内側と前記腰当布部との間に、身長方向に長い前記吸収部材を挟み、前記台布部と腰当布部と吸収部材とを、折り返し線に近い部分で縫い付けるとともに、前記腰当布部は、その下辺を前記台布部に縫い付けず、その下辺に近い部分で前記吸収部材と縫い付けるカバー一体型布おむつであることを特徴とする。
【０００６】
「吸収部材」とは、排泄物を吸収するパッド、つまり、おむつ本体をいう。下記の実施形態では、吸収部材が該当する。
「カバー部材」とは、おむつ本体を覆うとともに、身体に固定するものをいう。下記の実施形態では、おむつカバーが該当する。
本発明の「カバー一体型布おむつ」は、「吸収部材」と「カバー部材」を備え、これらを縫い付けて、一体としたものである。
「台布部内側」とは、着用者の皮膚に直接触れる側をいい、この上に吸収部材が置かれる。
【０００７】
請求項２に記載の発明は、請求項１に記載の発明において、左右の各脇押え布部の内側には第１接着部材を取り付け、この第１接着部材は、前記台布部外側の下辺に近い部分に取り付けた第２接着部材と着脱自在に貼着できることを特徴とする。
「台布部外側」とは、着用者の着衣に触れる側をいう。
「第１接着部材」、「第２接着部材」とは、両者が組み合わさって、接着機能を発揮するものをいい、例えば、下記の実施形態で想定するような対をなす面ファスナーも含まれる。
【０００８】
請求項３に記載の発明は、請求項１に記載の発明において、前記台布部及び腰当布部として用いる防水布は伸縮性を有することを特徴とする。
【０００９】
請求項４に記載の発明は、請求項１に記載の発明において、前記台布部の布縁は、縫い付けによらず接着によってほつれ止め処理を施し、前記腰当布部の布縁もまた、縫い付けによらず接着によってほつれ止め処理を施したことを特徴とする。
【００１０】
請求項５に記載の発明は、請求項１に記載の発明において、前記台布部の左右両脇の中央部付近にひも状のゴムを通し、ギャザーを寄せたことを特徴とするもの。
【発明の効果】
【００１１】
請求項１〜５に記載の発明は、吸収部材（吸収部材）とカバー部材（おむつカバー）とが一体となっているので、装着に要する時間が短縮でき、洗濯、乾燥、収容保管のための作業が容易であり、乾燥させるための場所や保管場所として広いスペースをとらない。
また、着用者の腰に当たる箇所において、吸収部材が防水布の下にあるので、腰に直接排泄物が触れない。そのため、快適であり、むれることがなく衛生的である。
さらに、吸収部材と台布部との縫い付けは、上端に近い１箇所だけにしているので、吸収部材の大部分は台布部から分離している。そのため、洗濯の際に汚れを落としやすく、乾燥も速い。また、吸収部材２の水分を絞るときにおむつカバー３に水分が溜まってしまうことがない。
【００１２】
請求項２に記載の発明により、介護者による着用者の体へのおむつの装着作業が簡単かつ迅速にできる。
【００１３】
請求項３に記載の発明により、着用者の体型に容易に合わせることができ、ずれたり、漏れたりすることを防止できる。
【００１４】
請求項４に記載の発明により、縫い糸および縫い穴からの染み出しがないので、着用者の衣類が汚れない。また、縫い糸が変色したりしないので、新品に近い清潔感が持続できる。
【００１５】
請求項５に記載の発明により、下肢の付け根部分にゴムが取り付けられているので、着用者にフィットし、ずれや、漏れを防止できて、装着感がよい。
【発明を実施するための最良の形態】
【００１６】
本発明のカバー一体型布おむつの実施形態を以下に説明する。
１．カバー一体型布おむつの構成
図１に示すように、本実施形態のカバー一体型布おむつ１は、吸収部材２と、おむつカバー３とを一体にしたものとして構成される。
ただし、一体ではあるが、吸収部材２の下方は、おむつカバー３と分離している。
おむつカバー３は、台布部４、腰当布部５及び脇押え布部６から成る。おむつカバー３については、後で詳しく説明する。
【００１７】
吸収部材の構成
吸収部材２は、綿と不織布とを重ね合わせたものである。重ね合わせる枚数は、排泄物の吸収量を考慮して調整すればよい。日中の短時間の外出時用や夜間用等の用途に応じて枚数の異なるものを用意してもよい。ただし、通常は、約５００ｃｃ〜６００ｃｃを吸収可能であることを目安とする。夜間の尿量は多い人では５００ｃｃ程度になるからである。
吸収部材２の形状は、上辺が下辺よりも長めの細長い台形状、あるいは細長い矩形状である。その身長方向の長さ及び横幅は、装着したときに、台布部４からはみ出さない程度に、台布部４の長さ及び横幅よりも短くする。
【００１８】
２．おむつカバーの構成
次に、図２と図３に従い、おむつカバー３の構成を説明する。
図２は、おむつカバー３を内側から見た図である。ここで、内側とは、着用者の皮膚に触れる側を意味する。台布部４は、着用者の腰部から腹部を被うので、人の身長方向に長い台形状あるいは矩形状をしている。腰当布部５は、着用者の腰部に尿や汗が触れないようにするだけのものなので、身長方向に短い四角形状をしている。台布部４と腰当布部５の横幅は同じにすればよいので、１枚の防水布を折り返し線９で折り返し、大きい方の部分を台布部４とし、小さい方の部分を腰当布部５とする。腰当布部５の下辺１０は、台布部４に縫い付けたり、接着したりせず、開縁部としておく。これは、後で説明するように、洗濯後の乾燥時間の短縮のためである。
【００１９】
台布部４の布縁１２は縁から少し内側の部分で折り返し、接着剤で接着しほつれ止めとする。ほつれ止めのためには、布縁を縫い糸でかがることが通常である。しかし、それでは、布に縫い穴が開き、排泄物が染み出してくるおそれがある。また、縫い糸が、染み出した排泄物によって変色し、清潔感が保てなくなる。そこで、接着剤を使うこととした。
【００２０】
ここで、台布部４の左右両側の中央付近には、紐状のゴム１３を通したうえ、布縁１２を接着する。ゴムの両端をやや引き伸ばした状態で、その両端を接着剤で固定する。このように、台布部４の左右両側を伸縮可能にしておくことにより、サイズの可変性が確保できるので、多くの着用者への提供が容易となる。
【００２１】
台布部４と腰当布部５とが重なっている左右両側には、脇押え布部６を配置し、縫い線１１で確実に縫い付ける。脇押え布部６も、排泄物で汚れるおそれがあるので、台布部４と同様に防水布を用いるとよい。何枚の防水布を重ね合わせればよいかは特に限定しないが、着用者の腰から腹部にかけて引っ張るように使用することが多いので、強度を確保するためには２枚以上を重ねることが望ましい。
【００２２】
脇押え布部６の内側には、第１接着部材１４を取り付ける。ここで、内側とは、着用者の腹部に巻き付けたとき、その腹部に触れる側をいう。
図３は、おむつカバー３を外側から見た図である。台布部４の外側の下方に取り付けた第２接着部材１５が、第１接着部材１４と対になるものであり、両者は着脱自在である。
【００２３】
台布部４、腰当布部５および脇押え布部６に用いる防水布には、伸縮性のある素材を使用する。本発明に係るおむつの着用者として、主に高齢者などの成人を想定している。乳児と異なり、成人の体型は千差万別である。もし、伸縮性のない素材を使用するならば、各種サイズを用意しなくてはならない。しかし、伸縮性ある素材を用いれば、少ないサイズ種類を用意するだけで、たいていの需要に応じることができる。
【００２４】
３．吸収部材とおむつカバーとの一体化
図４と図５に、吸収部材２を、おむつカバー３に縫い付けた状態を示す。図５に示すように、台布部４の内側と腰当布部５の間に、吸収部材２を挟む。挟む位置は、吸収部材２の上端が折り返し線９の近辺とする。図４に示すように、折り返し線９に近い部分１６Ａで、縫い糸１６Ｂを用いて、台布部４と吸収部材２と腰当布部５とを縫い付ける。
次に、腰当布部５の下辺１０に近い部分１７Ａで、縫い糸１７Ｂを用いて、吸収部材２と腰当布部５とを縫い付ける。
このように、吸収部材２がおむつカバー３と縫い合わされる箇所は縫い線１６Ａと１７Ａの２箇所だけである。しかも、台布部４と縫い合わされる箇所は、折り返し線９に近い１箇所（縫い線１６Ａ）だけである。
【００２５】
４．カバー一体型布おむつの装着
次に、本実施形態のカバー一体型布おむつの使用について説明する。
介護者は、図４の状態に開いたカバー一体型布おむつ１の上に、着用者の腰部を載せるようにする。次に、図６に示すように、吸収部材２と台布部４を、この順に着用者の股を通して腹部側へ回す。次に、左右の脇押え布部６を脇から腹部側へ回し、脇押え布部６の内側に取り付けられた第１接着部材１４を、台布部４の外側にある第２接着部材１５に貼着させる。このようにして、吸収部材２とおむつカバー３とが装着され、更に、接着部材１４、１５によって、カバー一体型布おむつ１は、着用者の身体に確実に固定される。
【００２６】
なお、図６に示すように、第１接着部材１４の面積に比べ、第２接着部材１５の面積を広くとっている。そのため、第１接着部材１４を貼り付ける位置の自由度が確保される。これは、着用者の体格にあわせた適当な箇所でおむつカバー３を固定できるようにするためである。
【００２７】
このおむつカバー３は、伸縮性ある素材が用いられ、左右の下肢の付け根部分にゴムでギャザーが寄せられている。そのため、極端に大柄であったり小柄であったりしない限り、様々な体格の人にフィットするので、ずれたり、排泄物が漏れたりしない。そのため、着用者にとって装着感がよく、しかも、衛生的である。
【００２８】
また、長時間の着用によって、吸収部材２に多量の水分が吸収されても、防水布製の腰当布部５があるので、腰部が湿ることがない。そのため、むれることがなく、床ずれの防止にもなる。
【００２９】
５．カバー一体型布おむつの洗濯と乾燥
次に、使用後のカバー一体型布おむつ１の扱いについて説明する。図７に示すように、左右両側の脇押え布部６を、着用時とは反対側に折り返すとともに、台布部４の裾を外側に向かって折り返すことにより、第１接着部材１４と第２接着部材１５とを接着させる。そこで、この状態で、洗濯機に投入すればよい。一般的に、接着部材１４、１５の表面は、微小なループやフックが密集しているので、他の繊維にもからみつきやすい。しかし、本実施形態では接着部材同士を接着させているので、洗濯などの場合でも、他の繊維とからまる心配はない。
また、洗濯の際に汚れを落としやすく、乾燥も速い。また、吸収部材２の水分を絞るときにおむつカバー３に水分が溜まってしまうことがない。
【００３０】
図５に示すように、吸収部材２と台布部４との縫い合わせ部分は、縫い線１６Ａの１箇所だけである。このように、縫い付け箇所を必要最小限にしたので、台布部４と吸収部材２との間の空気の流通がよい。そのため、水分が蒸発しやすく、乾燥時間を短縮させることができる。
【００３１】
このように、洗濯も乾燥も、吸収部材２とおむつカバー３とを一体としてできるので、作業が容易かつ迅速にできる。
また、吸収部材２とおむつカバー３とが一体であるから、吸収部材とおむつカバーを別々に折り畳んだり、別個のケースに入れて保管したりしなくてよい。したがって、収納・保管作業の効率も向上する。
【００３２】
６．その他
上記実施形態では、身体への固定は、面ファスナーのような着脱自在の手段を用いていた。しかし、紐で結んだり、ボタン類で留めたりしても差し支えない。
また、台布部４と腰当布部５は、１枚の布を折り返して用いていた。しかし、これに限らず、異なる布を重ねて用いてもよい。この場合、上辺同士は、必ずしも縫い合わせなくてもよい。台布部と腰当布部とは、その上辺付近にて、吸収部材と一緒に縫い合わされるからである。
さらに、脇押え布部６は、台布部及び腰当布部とは別の布を用いていた。しかし、これらの各部は、１枚の布から構成してもよい。
なお、以上の説明において、着用者として介護を要する高齢者等を想定していたが、本発明のカバー一体型布おむつを乳児に対して使用してもよいことは言うまでもない。
【００３３】
つまり、上記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００３４】
以上詳細に説明したように、本発明によれば、吸収部材（吸収部材）とカバー部材（おむつカバー）とが一体となったおむつカバーを提供し、装着に要する時間が短縮でき、洗濯、乾燥、収容保管のための作業を容易にし、むれることがなく衛生的にすることができるとともに、おむつカバーを大量に使用する介護施設、病院等においては費用の低減を図ることができ、しかも環境保護に貢献することができる。
【図面の簡単な説明】
【００３５】
【図１】本実施形態のカバー一体型布おむつの構成を示す図である。
【図２】本実施形態のおむつカバーの正面図である。
【図３】本実施形態のおむつカバーの背面図である。
【図４】本実施形態のカバー一体型布おむつの正面図である。
【図５】本実施形態のカバー一体型布おむつの断面図である。
【図６】本実施形態のカバー一体型布おむつを装着した状態を示す図である。
【図７】本実施形態のカバー一体型布おむつの洗濯時の状態を説明する図である。
【符号の説明】
【００３６】
１  カバー一体型布おむつ
２  吸収部材
３  カバー部材
４  台布部
５  腰当布部
６  脇押え布部
９  折り返し線
１０  ５の下辺
１２  布縁
１３  紐状のゴム
１４  第１接着部材
１５  第２接着部材
【図１】
2006223597.tif 000003
【図２】
2006223597.tif 000004
【図３】
2006223597.tif 000005
【図４】
2006223597.tif 000006
【図５】
2006223597.tif 000007
【図６】
2006223597.tif 000008
【図７】
2006223597.tif 000009